(57)【要約】【課題】利用者の重量を受けても、ずれ又は変形を発生せず、ウォームが低速に回転しても、按摩ヘッド組を速く回転できる按摩器具用按摩装置を提供する。【解決手段】凹み形状を呈する、下蓋と、上蓋と、を有し、下蓋と上蓋とは、中段と、中段の両端に設けられる端部と、をそれぞれ有するケースと、ウォームを有し、収容空間の中段に設けられ、ウォームの両端が各端部に延びる動力源と、全てが二階段構造を呈し、大直径歯車と、小直径歯車と、を有し、大直径歯車と小直径歯車とが円柱状を呈する枢着軸に挿通され、二つの端部にそれぞれ対応する二つの伝動歯車と、円柱状を呈する伝動軸が挿通されており、伝動軸は、枢着端と、伝動端と、を有し、それぞれ端部に対応する二つの駆動歯車と、全てが円盤状を呈する台座を有し、台座に按摩ヘッドが二つ設けられる二つの按摩ヘッド組と、を含む。【選択図】図２
0003168248.tif 000002
【実用新案登録請求の範囲】
【請求項１】
凹み形状を呈する、下蓋と、上蓋と、を有し、前記下蓋と前記上蓋とは、中段と、前記中段の両端に設けられる端部と、をそれぞれ有し、前記下蓋の前記中段と前記二つの端部とは、それぞれ前記上蓋の前記中段と前記二つの端部とに対応し、前記下蓋に前記上蓋が合せられ、その内部には、前記中段と前記二つの端部とを貫通する収容空間が形成されるケースと、
ウォームを有し、前記収容空間の前記中段に設けられ、前記ウォームの両端が前記各端部に延びる動力源と、
全てが二階段構造を呈し、大直径歯車と、小直径歯車と、を有し、前記大直径歯車と前記小直径歯車とが円柱状を呈する枢着軸に挿通され、前記二つの端部にそれぞれ対応し、前記収容空間に収容され、その枢着軸の両端がそれぞれ前記下蓋と前記上蓋とに枢着され、前記大直径歯車が前記ウォームと噛合う二つの伝動歯車と、
円柱状を呈する伝動軸が挿通されており、前記伝動軸は、枢着端と、伝動端と、を有し、それぞれ前記端部に対応し、前記収容空間に収容され、前記伝動軸の前記枢着端が前記下蓋に枢着され、前記伝動軸の前記伝動端が前記上蓋を挿通して前記ケースの外部に突出し、前記小直径歯車と噛合っており、その歯数比が前記大直径歯車の歯数比よりも大きく、前記大直径歯車の歯数比が前記小直径歯車の歯数比よりも大きい二つの駆動歯車と、
全てが円盤状を呈する台座を有し、前記台座に按摩ヘッドが二つ設けられ、前記ケースの前記上蓋の二つの前記端部の外部にそれぞれ設けられ、前記台座の中央が前記伝動軸の前記伝動端に固定されている二つの按摩ヘッド組と、
を含むことを特徴とする按摩器具用按摩装置。
【請求項２】
前記大直径歯車と前記小直径歯車の歯数比は２：１であることを特徴とする、請求項１に記載の按摩器具用按摩装置。
【請求項３】
前記駆動歯車と前記小直径歯車の歯数比は３８：１５であることを特徴とする、請求項１に記載の按摩器具用按摩装置。
【請求項４】
前記下蓋と前記上蓋との前記中段の輪郭が前記動力源の形状に対応し、前記各端部が前記中段の両端と一体成形され、前記下蓋に前記上蓋が合せられ、前記ケースの前記収容空間は、前記中段に対応する箇所では長い空間に形成され、前記二つの端部に対応する箇所ではディスク状を呈する扁平空間に形成され、前記長い空間の両端が前記扁平空間と連通することを特徴とする、請求項１に記載の按摩器具用按摩装置。
【請求項５】
前記ケースの前記下蓋と前記上蓋との前記中段に条状穴が複数設けられ、前記下蓋の前記二つの端部の内面に枢着溝が二つ成形され、前記上蓋の前記二つの端部の内面には、前記下蓋の前記中段に近接する前記枢着溝に応じて別の枢着溝が設けられ、前記上蓋の前記中段から遠ざかった前記枢着溝に対応する箇所で貫通孔が形成され、前記各伝動歯車の前記枢着軸の両端は、それぞれ前記下蓋と前記上蓋との内面の対応する前記枢着溝に挿入されており、前記各駆動歯車の前記伝動軸の枢着端は、前記下蓋の前記中段から遠ざかった前記枢着溝に枢着されており、前記伝動軸の前記伝動端は、前記上蓋の前記貫通孔を挿通して前記ケースの外部に突出し、前記下蓋と前記上蓋との前記中段と前記二つの端部とから組付空間が形成され、前記組付空間に回路ユニットが設けられることを特徴とする、請求項１に記載の按摩器具用按摩装置。
【考案の詳細な説明】
【技術分野】
【０００１】
本考案は、按摩器具に関し、特に、按摩器具用按摩装置の組合構造及び伝動構造に関するものである。
【背景技術】
【０００２】
従来、図１に示した特許文献１の台湾特許Ｍ３９２６５７号公報の「按摩器及び按摩装置」が提案された。台湾特許Ｍ３９２６５７号公報の「按摩器及び按摩装置」は、按摩器１０は、両端がウォーム１１１に挿通される動力源１１を有し、動力源１１の両端にケースがそれぞれ設けられ、前記ケースは上蓋１２と下蓋１３を合せて構成される。ウォーム１１１及び歯車１４は前記各ケース内に収容される。前記ケースの外部に按摩ヘッド組１５が組み付けられている。上蓋１２と下蓋１３との構造はほぼ対称する。上蓋１２に収容部１２１が形成される。下蓋１３に収容部１３１が形成される。収容部１２１と収容部１３１に歯車１４及びウォーム１１１が収容される。収容部１２１の一側に固定部１２２が設けられる。収容部１３１の一側に固定部１３２が設けられる。下蓋１３に上蓋１２を被ることにより、前記ケースが構成される。固定部１２２と固定部１３２を合せると、円形空間が形成される。前記各ケースの前記円形空間は動力源１１の両端にそれぞれ対応する。ウォーム１１１は、前記円形空間の底部を挿通して、収容部１２１、１３１を合せて形成される収容空間に延びて歯車１４と噛合う。各歯車１４の中心にシャフト１４１が設けられる。シャフト１４１は按摩ヘッド組１５に固定されている。動力源１１の駆動により歯車１４がウォーム１１１に駆動されて回転する。そうすると、按摩ヘッド組１５の大直径按摩ヘッド１５１と小直径按摩ヘッド１５２とは回転するようになり、利用者を按摩する目的を達成できる。
【０００３】
しかしながら、従来の按摩器のケースがそれぞれ動力源の両端に組み付けられ、上蓋と下蓋とが樹脂製の部材であり、且つ固定部と収容部の連接箇所の面積が小さいため、二つの固定部を合せて形成される円形空間と動力源を組付けて利用するときには、利用者の重量により按摩ヘッドが押付けられてケースがずれ又は変形し易い。そうすると、その内部にあるウォームと歯車の噛合いが悪くなって、空回り又は部材の磨耗が発生する。
【０００４】
また、従来の按摩器のウォームは、動力源が歯車の７２個の歯と噛合うことにより、按摩ヘッド組が一回転するため、ウォームが快速に回転しないと按摩ヘッド組の回転速度が速くない。しかし、ケースが外力を受けてずれるときには、快速に回転しているウォームと歯車の噛合いがずれ易く、ひいては歯車が磨耗し、動力源のウォームを駆動する負荷が増加する。
【先行技術文献】
【特許文献】
【０００５】
【特許文献１】台湾特許Ｍ３９２６５７号公報
【考案の概要】
【考案が解決しようとする課題】
【０００６】
本考案の主な目的は、利用者の重量を受けても、ずれ又は変形を発生せず、ウォームが低速に回転しても、按摩ヘッド組を速く回転でき、動力源の駆動負荷を減少でき、ウォームと歯車の噛合いの精確度を増加できる按摩器具用按摩装置を提供することにある。
【課題を解決するための手段】
【０００７】
本考案の按摩器具用按摩装置によると、凹み形状を呈する、下蓋と、上蓋と、を有し、前記下蓋と前記上蓋とは、中段と、前記中段の両端に設けられる端部と、をそれぞれ有し、前記下蓋の前記中段と前記二つの端部とは、それぞれ前記上蓋の前記中段と前記二つの端部とに対応し、前記下蓋に前記上蓋が合せられ、その内部には、前記中段と前記二つの端部とを貫通する収容空間が形成されるケースと、
ウォームを有し、前記収容空間の前記中段に設けられ、前記ウォームの両端が前記各端部に延びる動力源と、
全てが二階段構造を呈し、大直径歯車と、小直径歯車と、を有し、前記大直径歯車と前記小直径歯車とが円柱状を呈する枢着軸に挿通され、前記二つの端部にそれぞれ対応し、前記収容空間に収容され、その枢着軸の両端がそれぞれ前記下蓋と前記上蓋とに枢着され、前記大直径歯車が前記ウォームと噛合う二つの伝動歯車と、
円柱状を呈する伝動軸が挿通されており、前記伝動軸は、枢着端と、伝動端と、を有し、それぞれ前記端部に対応し、前記収容空間に収容され、前記伝動軸の前記枢着端が前記下蓋に枢着され、前記伝動軸の前記伝動端が前記上蓋を挿通して前記ケースの外部に突出し、前記小直径歯車と噛合っており、その歯数比が前記大直径歯車の歯数比よりも大きく、前記大直径歯車の歯数比が前記小直径歯車の歯数比よりも大きい二つの駆動歯車と、
全てが円盤状を呈する台座を有し、前記台座に按摩ヘッドが二つ設けられ、前記ケースの前記上蓋の二つの前記端部の外部にそれぞれ設けられ、前記台座の中央が前記伝動軸の前記伝動端に固定されている二つの按摩ヘッド組と、
を含むことを特徴とする。
【０００８】
本考案の按摩器具用按摩装置によると、前記大直径歯車と前記小直径歯車の歯数比は２：１であることを特徴とする。
【０００９】
本考案の按摩器具用按摩装置によると、前記駆動歯車と前記小直径歯車の歯数比は３８：１５であることを特徴とする。
【００１０】
本考案の按摩器具用按摩装置によると、前記下蓋と前記上蓋との前記中段の輪郭が前記動力源の形状に対応し、前記各端部が前記中段の両端と一体成形され、前記下蓋に前記上蓋が合せられ、前記ケースの前記収容空間は、前記中段に対応する箇所では長い空間に形成され、前記二つの端部に対応する箇所ではディスク状を呈する扁平空間に形成され、前記長い空間の両端が前記扁平空間と連通することを特徴とする。
【００１１】
本考案の按摩器具用按摩装置によると、前記ケースの前記下蓋と前記上蓋との前記中段に条状穴が複数設けられ、前記下蓋の前記二つの端部の内面に枢着溝が二つ成形され、前記上蓋の前記二つの端部の内面には、前記下蓋の前記中段に近接する前記枢着溝に応じて別の枢着溝が設けられ、前記上蓋の前記中段から遠ざかった前記枢着溝に対応する箇所で貫通孔が形成され、前記各伝動歯車の前記枢着軸の両端は、それぞれ前記下蓋と前記上蓋との内面の対応する前記枢着溝に挿入されており、前記各駆動歯車の前記伝動軸の枢着端は、前記下蓋の前記中段から遠ざかった前記枢着溝に枢着されており、前記伝動軸の前記伝動端は、前記上蓋の前記貫通孔を挿通して前記ケースの外部に突出し、前記下蓋と前記上蓋との前記中段と前記二つの端部とから組付空間が形成され、前記組付空間に回路ユニットが設けられることを特徴とする。
【考案の効果】
【００１２】
本考案の按摩器具用按摩装置によれば、次のような効果がある。
（１）中段及び二つの端部が一体成形された、上蓋と、下蓋とに、動力源、伝動歯車及び駆動歯車を収容することにより、伝動歯車がウォームに駆動されているときには、ウォームと大直径歯車の相対位置が安定となってずれ難くなり、按摩装置全体の構造強度が増加し、ウォーム、伝動歯車及び駆動歯車の噛合い精度が向上し、振動力による噛合いのずれ及び部材の磨耗を回避できる。
【００１３】
（２）駆動歯車、大直径歯車と小直径歯車の歯数比の設計により、ウォームがより低い回転速度で回転しても、従来の按摩ヘッド組の回転速度と同じ回転速度で回転でき、動力源の負荷を減少できる。
【図面の簡単な説明】
【００１４】
【図１】従来の按摩器の構造を示す分解斜視図である。
【図２】本考案の一実施例の分解斜視図である。
【図３】本考案の一実施例の一部の構造の組合済み状態を示す斜視図である。
【図４】本考案の一実施例の一部の構造の組合済み状態を示す剖開図である。
【図５】図３の下面図である。
【図６】本考案の一実施例に按摩枕を合せて利用する状態を示す斜視図である。
【図７】図６の按摩枕にチェアマットを合せて利用する状態を示す斜視図である。
【考案を実施するための形態】
【００１５】
以下、本考案の実施の形態を図面に基づいて説明する。
まず、図２乃至図５を参照する。本考案の実施例の按摩器具用按摩装置は、ケース２０の内部に、動力源３０と、二つの伝動歯車４０と、二つの駆動歯車５０と、が設けられ、ケース２０の外部に、駆動歯車５０の数量に対応する按摩ヘッド組６０が設けられる。
【００１６】
ケース２０は、コ字形を呈し、凹み形状を呈する、下蓋２１と、上蓋２２と、を有する。下蓋２１と上蓋２２とは、中段２１１、２２１と、中段２１１、２２１の両端に設けられる端部２１２、２２２と、をそれぞれ有する。下蓋２１に上蓋２２が合せられる。ケース２０の内部には、中段２１１、２２１と端部２１２、２２２とを貫通する収容空間２０１が形成される。下蓋２１の端部２１２、２１２の内面に枢着溝２１３、２１３が成形される。上蓋２２の端部２２２、２２２の内面には、中段２１１に近接する枢着溝２１３に応じて枢着溝２２３が設けられる。上蓋２２の中段２１１から遠ざかった枢着溝２１３に対応する箇所で貫通孔２２４が形成される。
【００１７】
本実施例では、下蓋２１と上蓋２２との中段２１１、２２１が半円の断面形状を有し、端部２１２、２２２は、ディスク状を呈し、中段２１１、２２１の両端と一体成形される。下蓋２１に上蓋２２を合せると、ケース２０の収容空間２０１の中段２１１、２２１に対応する箇所では長い空間に形成され、端部２１２、２２２に対応する箇所ではディスク状を呈する扁平空間に形成され、前記長い空間の両端が前記扁平空間と連通する。図５に示すように、下蓋２１と上蓋２２との中段２１１、２２１と端部２２１、２２２とから組付空間２０２が形成される。図６に示すように、組付空間２０２に回路ユニット７０が設けられる。これにより、全体の構造は、完備となり、例えば按摩椅子又は按摩枕などの按摩器具の内部に組付けることが容易となる。
【００１８】
動力源３０は、円柱状を呈し、その両端を挿通するウォーム３１を有する。動力源３０は、図３に示すように、収容空間２０１の中段２１１、２２１に対応する前記長い空間に設けられる。ウォーム３１の両端は前記各扁平空間に延びる。本実施例では、下蓋２１と上蓋２２との中段２１１、２２１に条状穴２１４、２２５が複数設けられる。条状穴２１４、２２５により動力源３０からの熱を放熱できる。
【００１９】
二つの伝動歯車４０は、全てが二階段構造を呈し、歯数比が２：１である、大直径歯車４１と、小直径歯車４２と、を有する。大直径歯車４１と小直径歯車４２とは円柱状を呈する枢着軸４３に挿通される。二つの伝動歯車４０は、収容空間２０１の端部２１２、２２２にそれぞれ対応し、収容空間２０１に収容され、その枢着軸４３の両端がそれぞれ下蓋２１と上蓋２２との内面に設けられる枢着溝２１３、２２３に枢着され、これにより、ケース２０の内部に回転可能に枢着され、大直径歯車４１がウォーム３１と噛合う。本実施例では、大直径歯車４１が３０個の歯を有するはすば歯車であり、小直径歯車４１が１５個の歯を有する平歯車である。
【００２０】
二つの駆動歯車５０には、円柱状を呈する伝動軸５１が挿通されている。伝動軸５１は、円柱状を呈する枢着端５１１と、円柱状を呈しない伝動端５１２と、を有する。二つの駆動歯車５０は、それぞれ収容空間２０１の端部２１２、２２２に対応する箇所で設けられる。伝動軸５１の枢着端５１１は、下蓋２１の中段２１１から遠ざかった枢着溝２１３に枢着される。伝動軸５１の伝動端５１２は上蓋２２の貫通孔２２４を挿通してケース２０の外部に突出する。駆動歯車５０は小直径歯車４２と噛合っており、駆動歯車５０と小直径歯車４２の歯数比は３８：１５であるため、駆動歯車５０の歯数比が大直径歯車４１の歯数比よりも大きく、大直径歯車４１の歯数比が小直径歯車４２の歯数比よりも大きい。
【００２１】
二つの按摩ヘッド組６０は、全てが円盤状を呈する台座６１を有する。図４に示すように、台座６１の中央には、伝動軸５１の断面形状に対応する駆動穴６１１が設けられる。台座６１は、駆動穴６１１の両側に按摩ヘッド６２がそれぞれ設けられる。按摩ヘッド組６０、６０は、ケース２０の上蓋２２の端部２２２、２２２の外部にそれぞれ設けられる。伝動軸５１の伝動端５１２は台座６１の駆動穴６１１に挿入されている。これにより、台座６１は、伝動軸５１の伝動端５１２に固定され、上蓋２２と按摩ヘッド６２、６２の間に位置する。本実施例では、按摩ヘッド６２は、按摩ヘッド台６２１を有し、台座６１に固定されている。按摩ヘッド台６２１には、表面が円弧凸面を呈する按摩ヘッド蓋６２２が設けられる。
【００２２】
次に、本考案の実施例の按摩器具用按摩装置の操作方法を説明する。図３乃至図５を参照する。本考案の按摩装置は、二階段構造を呈する伝動歯車４０の大直径歯車４１でウォーム３１と噛合い、伝動歯車４０の小直径歯車４２で駆動歯車５０と噛合う。これにより、ウォーム３１が動力源３０に駆動されて、伝動歯車４０と駆動歯車５０とが回転する。按摩ヘッド組６０が駆動歯車５０に連接されているため、按摩ヘッド組６０が駆動歯車５０に駆動されて回転する。そうすると、按摩の目的を達成できる。
【００２３】
図７を参照する。図７は図６の按摩枕ＡにチェアマットＢを合せて利用する状態を示す斜視図である。一方、本考案の按摩装置は、按摩椅子（図示せず）の内部に直接に設けることができ、これにより、按摩の目的を達成できる。
【産業上の利用可能性】
【００２４】
本考案は、按摩器具に適用することができる。
【符号の説明】
【００２５】
１０：按摩器
１１：動力源
１２：上蓋
１３：下蓋
１４：歯車
１５：按摩ヘッド組
２０：ケース
２１：下蓋
２２：上蓋
３０：動力源
３１：ウォーム
４０：伝動歯車
４１：大直径歯車
４２：小直径歯車
４３：枢着軸
５０：駆動歯車
５１：伝動軸
６０：按摩ヘッド組
６１：台座
６２：按摩ヘッド
７０：回路ユニット
１１１：ウォーム
１２１：収容部
１２２：固定部
１３１：収容部
１３２：固定部
１４１：シャフト
１５１：大按摩ヘッド
１５２：小按摩ヘッド
２０１：収容空間
２０２：組付空間
２１１：中段
２１２：端部
２１３：枢着溝
２１４：条状穴
２２１：中段
２２２：端部
２２３：枢着溝
２２４：貫通孔
２２５：条状穴
５１１：枢着端
５１２：伝動端
６１１：駆動穴
６２１：按摩ヘッド台
６２２：按摩ヘッド蓋
Ａ：按摩枕
Ｂ：チェアマット
【図１】
0003168248.tif 000003
【図２】
0003168248.tif 000004
【図３】
0003168248.tif 000005
【図４】
0003168248.tif 000006
【図５】
0003168248.tif 000007
【図６】
0003168248.tif 000008
【図７】
0003168248.tif 000009